(57)【要約】【課題】待機中の待機電力を抑えるとともに、ユーザ操作により待機状態から電源オンした場合に、所定時間よりも早く映像を表示することを可能にした映像表示システムを提供する。【解決手段】この発明にかかる映像表示システムは、携帯可能な遠隔操作装置であるリモコン１１と、リモコン１１と通信する映像表示装置１２とを備え、リモコン１１は、リモコン１１の振動を検出し、振動検出情報を出力する振動検出部３と、振動検出情報を映像表示装置１２に送信する送信部２とを備え、映像表示装置１２は、振動検出情報を受信する受信部７と、映像表示装置１２内の所定の主要部に電力を供給可能な主電源９と、受信部７に振動検出情報が受信された場合、主電源９を制御する制御部８とを備える。【選択図】図１
2010277010.tif 000002
【特許請求の範囲】
【請求項１】
携帯可能な遠隔操作装置と、
前記遠隔操作装置と通信する映像表示装置とを備え、
前記遠隔操作装置は、
前記遠隔操作装置の振動を検出し、振動検出情報を出力する振動検出部と、
前記振動検出情報を前記映像表示装置に送信する送信部とを備え、
前記映像表示装置は、
前記振動検出情報を受信する受信部と、
前記映像表示装置内の所定の主要部に電力を供給可能な主電源と、
前記受信部に前記振動検出情報が受信された場合、前記主電源を制御する制御部とを備える、
映像表示システム。
【請求項２】
前記遠隔操作装置は、外部操作を受付可能であって、当該外部操作により前記映像表示装置の電源を制御する要求を受けて、電源制御要求情報を出力する操作部をさらに備え、
前記送信部は、前記電源制御要求情報を前記映像表示装置に送信し、
前記受信部は、前記電源制御要求情報を受信し、
前記制御部は、前記受信部に前記電源制御要求情報が受信された場合、前記主電源を制御する、
請求項１に記載の映像表示システム。
【請求項３】
前記制御部は、前記受信部に前記振動検出情報または前記電源制御要求情報が受信された場合、電力供給を開始するように前記主電源を制御する、
請求項２に記載の映像表示システム。
【請求項４】
前記制御部は、前記振動検出情報が受信され前記主電源を制御した後所定時間内に、前記電源制御要求情報が受信されない場合、電力供給を停止するように前記主電源を制御する、
請求項２または３に記載の映像表示システム。
【請求項５】
前記所定の主要部は、
映像を入力する映像入力部と、
入力された前記映像を処理する映像処理部と、
処理された前記映像を表示する映像表示部とを備え、
前記制御部は、前記受信部に前記振動検出情報が受信された場合前記映像入力部および前記映像処理部に対し電力供給を開始し、前記受信部に前記電源制御要求情報が受信された場合前記映像表示部に対し電力供給を開始するように前記主電源を制御する、
請求項２〜４のいずれかに記載の映像表示システム。
【請求項６】
前記振動検出部は、加速度センサー、振動センサー、傾きセンサーのいずれかである、
請求項１〜５のいずれかに記載の映像表示システム。
【発明の詳細な説明】
【技術分野】
【０００１】
本発明は映像表示システムに関し、特に待機状態から電源オンする時に映像を高速で表示する映像表示システムに関する。
【背景技術】
【０００２】
従来の映像表示システムは、データ処理量の増加に伴い起動速度が遅いといった問題を抱えており、待機状態の場合に待機電力を抑えるためにスタンバイ電源のみを通電しておき、主電源をオフにしておくため、待機状態から電源オンした場合に映像を表示するまでに時間を要していた。待機状態から電源オンした場合に映像を表示するまでの時間を短縮するため、待機状態でも主電源を通電状態しておくといった見かけ待機状態を設けるようにしているが、常に主電源がオンとなっているため待機電力が増加する課題があった。
【０００３】
この改善策として、明るさセンサーを設け、所定以上の明るさを検出して所定の条件下においてのみ待機電力の供給を行うものが示されている（例えば、特許文献１参照）。また、主電源オン・オフの時間帯を学習して記憶し、主電源オフのモードである時間を制御しているものも示されている（例えば、特許文献２参照）。
【先行技術文献】
【特許文献】
【０００４】
【特許文献１】特開２００８−１３１３６０号公報
【特許文献２】特開平７−２１２６７８号公報
【発明の概要】
【発明が解決しようとする課題】
【０００５】
見かけ待機状態を設けた場合は、ユーザが装置をまったく使用していない場合でも常に主電源が入った状態で放置されるため、装置を使用している場合と同じ電力量を消費するといった欠点がある。
【０００６】
上述の従来技術では、いずれもユーザが装置を使用する可能性の高い機会を検出し見かけ待機状態にしておき、それ以外の機会には主電源をオフにすることで待機電力を抑えるといった効果があるが、検出した機会が必ずしもユーザが装置を使用する機会と合致するとは限らず、ユーザが装置を使用しない場合でも見かけ待機状態を保持する場合があるため、ユーザが装置を使用しない場合でも余計な待機電力を消費するといった欠点がある。
【０００７】
本発明はこのような問題を解決するためになされたものであり、余計な待機電力を抑え、かつ電源オン時の起動速度を速く保つ映像表示システムを提供することを目的とする。
【課題を解決するための手段】
【０００８】
この発明にかかる映像表示システムは、携帯可能な遠隔操作装置と、前記遠隔操作装置と通信する映像表示装置とを備え、前記遠隔操作装置は、前記遠隔操作装置の振動を検出し、振動検出情報を出力する振動検出部と、前記振動検出情報を前記映像表示装置に送信する送信部とを備え、前記映像表示装置は、前記振動検出情報を受信する受信部と、前記映像表示装置内の所定の主要部に電力を供給可能な主電源と、前記受信部に前記振動検出情報が受信された場合、前記主電源を制御する制御部とを備える。
【発明の効果】
【０００９】
この発明にかかる映像表示システムによれば、携帯可能な遠隔操作装置と、前記遠隔操作装置と通信する映像表示装置とを備え、前記遠隔操作装置は、前記遠隔操作装置の振動を検出し、振動検出情報を出力する振動検出部と、前記振動検出情報を前記映像表示装置に送信する送信部とを備え、前記映像表示装置は、前記振動検出情報を受信する受信部と、前記映像表示装置内の所定の主要部に電力を供給可能な主電源と、前記受信部に前記振動検出情報が受信された場合、前記主電源を制御する制御部とを備えることにより、ユーザが映像を見ようとする操作を振動検出部によりいち早く検出し起動速度を速く保つことが可能となる。また、ユーザが操作しない時間帯には待機時の消費電力を抑えることができる。
【図面の簡単な説明】
【００１０】
【図１】この発明の実施の形態１を示すブロック図である。
【図２】この発明の処理手順を示すフローチャートである。
【発明を実施するための形態】
【００１１】
＜Ａ．実施の形態１＞
＜Ａ−１．構成＞
図１はこの発明装置の実施の形態を示すブロック図である。また図２はこの発明装置の処理を示すフローチャートである。以下、この発明の実施の形態の一例を説明する。
【００１２】
本発明にかかる映像表示システムは、携帯可能な遠隔操作装置であるリモコン１１と、リモコン１１と通信する映像表示装置１２とを備えるものであり、リモコン１１には、外部操作の受付可能であって、当該外部操作により映像表示装置１２の電源を制御する要求を受けて、電源制御要求情報を出力する操作部１と、振動検出部３と、送信部２とが備えられている。
【００１３】
操作部１には外部操作を受け付ける電源キー２０などの操作キーを備えられている。振動検出部３は、リモコン１１の振動を検出し、振動検出情報を出力する機能を有する。送信部２は、操作部１の操作状態である電源制御要求情報を映像表示装置１２に送信し、振動検出部３で検出される振動状態を示す振動検出情報を映像表示装置１２に送信する機能を有する。
【００１４】
映像表示装置１２は、リモコン１１の送信部２から送られてくる振動検出情報および電源制御情報を受信する受信部７と、受信部７が受信した振動検出情報および電源制御情報に従い映像表示装置１２における主電源９を主に制御する制御部８と、受信部７と制御部８に電力を供給する副電源１０と、映像を入力する映像入力部４と、映像入力部４から入力される映像を処理する映像処理部５と、映像処理部５が処理した映像を表示する映像表示部６と、映像表示装置１２における所定の主要部である映像入力部４と映像処理部５と映像表示部６とに電力を供給する主電源９とを備える。主電源９は、制御部８により映像入力部４と映像処理部５と映像表示部６とに供給する動作電力をオン・オフ制御する機能を有する。
【００１５】
＜Ａ−２．動作＞
映像表示装置１２はユーザが装置を使用しない待機状態の時には主電源９はオフの状態で、映像入力部４と映像処理部５と映像表示部６に電力供給はされず、副電源１０により受信部７と制御部８のみに電力が供給され、待機状態でリモコン１１の信号を受信できる状態を保持しておく。これによりユーザが使用していない時には副電源１０のみの少ない電力消費で済む。
【００１６】
リモコン１１に装備されている電源キー２０がユーザにより押された場合、リモコン１１は送信部２から電源制御要求情報としての電源オン信号を映像表示装置１２の受信部７に送信する。待機状態の映像表示装置１２の制御部８は、受信部７が受信した電源オン信号に従い、主電源９をオン状態にし、映像入力部４と映像処理部５と映像表示部６とに電力を供給し、映像入力部４から入力される映像を映像表示部６に表示する。
【００１７】
主電源９が映像入力部４と映像処理部５と映像表示部６とに電力を供給してから、映像表示部６に映像が表示されるまで処理時間がかかる場合、リモコン１１の電源キー２０が押されてから映像表示部６に映像が表示されるまでに所定時間を要することになる。そのため、この表示までの時間を短縮するため、映像表示装置１２は電源オン信号を受信してから主電源９をオンするのではなく、振動検出部３が検出した振動検出情報としての振動信号を受信した場合に、映像入力部４と映像処理部５には電力を供給しておき、映像表示部６への電力供給のみをオフする見かけ待機状態であらかじめ起動しておく。
【００１８】
映像表示装置１２は見かけ待機状態で待機し、リモコン１１の電源キー２０の操作により電源オン信号を受信部７にて受信したとき、主電源９を制御し映像表示部６に電力を供給する。このとき、映像表示装置１２はあらかじめ映像入力部４と映像処理部５に電力が供給されており映像を表示する準備が完了しているので、映像表示部６に電力を供給するだけで見かけの映像を表示するまでの時間を短縮することができる。
【００１９】
次に、図２のフローチャートを参照して処理手順を説明する。
【００２０】
電源投入後、まず始めにステップＳ１００で映像表示装置１２は副電源１０をオンにし受信部７と制御部８のみに電力を供給し、ステップＳ１０１の待機状態（副電源１０のみ電力供給）に移行する。この状態で映像表示装置１２はリモコン１１により遠隔操作を受け付け可能な状態を保持し、待機する。
【００２１】
次のステップＳ１０２でユーザが映像表示装置１２の電源をオンにするためを手に持った時、リモコン１１の振動検出部３が振動したことを検出して、ステップＳ１０３でリモコン１１の送信部２から映像表示装置１２の受信部７に振動検出情報としての振動信号を送信する。なお振動を検出しない場合には、待機状態を維持する。
【００２２】
次のステップＳ１０４で、ステップＳ１０３の振動信号を受信した映像表示装置１２の制御部８は映像入力部４と映像処理部５に電力を供給して、映像表示装置１２は映像出力が可能な見かけ待機状態で待機する。この時には映像表示装置１２の映像表示部６には電力が供給されないので映像は表示されていないが、映像を表示する準備が完了しているので、いつでも映像を表示することが可能な状態となる。
【００２３】
次に、ステップＳ１０５でリモコン１１は操作部１の電源キー２０がユーザにより押されたことを検出し、ステップＳ１０６でリモコン１１は送信部２から映像表示装置１２の受信部７に電源オン信号を送信する。
【００２４】
なおステップＳ１０４で振動検出情報を受信し見かけ待機状態となった後電源キー２０が押されない場合には、ステップＳ１０９で一定期間内にリモコン１１の操作部１の電源キー２０が押されず電源制御要求情報を受信しなかったことを判定し、映像表示装置１２の制御部８は自動的に映像入力部４と映像処理部５への電力供給を停止し、ステップＳ１０１の待機状態（副電源１０のみが電力供給）に戻る。このようにユーザ操作がない場合は待機状態に戻るので、リモコン１１の振動センサー（振動検出部３）の誤動作などを防ぐことができるので余計な消費電力の消費を妨げる効果がある。
【００２５】
ステップＳ１０７でリモコン１１の送信部２から送信された電源オン信号を映像表示装置１２の受信部７が受信し、受信した電源オン信号により制御部８は映像表示部６に電力を供給し、ステップＳ１０８で映像表示部６は映像入力部４から入力される映像を表示する。
【００２６】
この時、映像表示装置１２の映像入力部４と映像処理部５にすでに電力が供給されおり、映像を表示する準備が完了しているので、映像表示装置１２の映像表示部６に瞬時に映像が出力される。この時、ユーザはリモコン１１の電源キー操作により映像表示装置１２の電源が入ったと感じるので、見かけの起動速度の遅延を改善するといった効果を得られる。
【００２７】
上記の実施の形態により、ユーザがリモコンを持ったことを検出することにより、待機状態から見かけ待機状態に移行するので、ユーザの電源オン操作による映像表示までの見かけの時間を短縮するといった効果を得ることができる。
【００２８】
また、映像表示装置１２をユーザが操作することなく、必要な時のみ映像表示装置１２自ら見かけ待機状態に移行し、不要に電力消費することがないので、ユーザが映像表示装置１２の電源をオンしていない時の待機電力を抑える効果がある。
【００２９】
この振動検出部３は、振動センサー、加速度センサー、傾きセンサーなどを適用することができる。さらに、ユーザがリモコン１１を手にした振動を検出できるのであれば、前記以外のセンサーでも適用することができる。
【００３０】
このリモコン１１から映像表示装置１２に情報を伝送する手段は、たとえば、無線、有線、赤外線等を適用することができる。
【００３１】
本発明は、例えば、テレビジョン受信機、ＤＶＤレコーダ、ハードディクスレコーダ等において適用することができる。
【００３２】
＜Ａ−３．効果＞
この発明にかかる実施の形態１によれば、映像表示システムにおいて、携帯可能な遠隔操作装置であるリモコン１１と、リモコン１１と通信する映像表示装置１２とを備え、リモコン１１は、リモコン１１の振動を検出し、振動検出情報を出力する振動検出部３と、振動検出情報を映像表示装置１２に送信する送信部２とを備え、映像表示装置１２は、振動検出情報を受信する受信部７と、映像表示装置１２内の所定の主要部に電力を供給可能な主電源９と、受信部７に振動検出情報が受信された場合、主電源９を制御する制御部８とを備えることで、ユーザが映像を見ようとする操作を振動検出部３によりいち早く検出し起動速度を速く保つことが可能となる。また、ユーザが操作しない時間帯には見かけ待機状態にすることがないので、待機時の消費電力を抑えることができる。
【００３３】
また、この発明にかかる実施の形態１によれば、映像表示システムにおいて、遠隔操作装置であるリモコン１１は、外部操作を受付可能であって、当該外部操作により映像表示装置１２の電源を制御する要求を受けて、電源制御要求情報を出力する操作部１をさらに備え、送信部２は、電源制御要求情報を映像表示装置１２に送信し、受信部７は、電源制御要求情報を受信し、制御部８は、受信部７に電源制御要求情報が受信された場合、主電源９を制御することで、ユーザが装置を使用する可能性の高い機会を確実に検出するため振動検出部３で振動を検出し見かけ待機状態にある映像表示装置１２に電源制御要求情報が受信されることで、起動速度を速く保つことができる。
【００３４】
また、この発明にかかる実施の形態１によれば、映像表示システムにおいて、制御部８は、受信部７に振動検出情報または電源制御要求情報が受信された場合、電力供給を開始するように主電源９を制御することで、振動検出またはユーザの操作によって、映像表示装置１２の主電源９をオン状態にすることができる。
【００３５】
また、この発明にかかる実施の形態１によれば、映像表示システムにおいて、制御部８は、振動検出情報が受信され主電源９を制御した後所定時間内に、電源制御要求情報が受信されない場合、電力供給を停止するように主電源９を制御することで、誤作動等によって振動が検出された場合等であっても、長時間見かけ待機状態にすることがなく、待機電力を抑えることができる。
【００３６】
また、この発明にかかる実施の形態１によれば、映像表示システムにおいて、所定の主要部は、映像を入力する映像入力部４と、入力された映像を処理する映像処理部５と、処理された映像を表示する映像表示部６とを備え、制御部８は、受信部７に振動検出情報が受信された場合映像入力部４および映像処理部５に対し電力供給を開始し、受信部７に電源制御要求情報が受信された場合映像表示部６に対し電力供給を開始するように主電源９を制御することで、振動検出部３において振動が検出され振動検出情報が受信された場合に映像入力部４および映像処理部５をオン状態にし、映像表示部６に電力を供給するだけですぐに起動可能な見かけ待機状態とし、ユーザが操作し電源制御要求情報が受信された場合に映像表示部６をオン状態にして起動することで、起動速度を速く保つことが可能となる。
【００３７】
また、この発明にかかる実施の形態１によれば、映像表示システムにおいて、振動検出部３は、加速度センサー、振動センサー、傾きセンサーのいずれかであることで、リモコン１１の振動を検出し、映像表示装置１２を見かけ待機状態にすることができ、起動速度を速く保つことができる。
【符号の説明】
【００３８】
１  操作部、２  送信部、３  振動検出部、４  映像入力部、５  映像処理部、６  映像表示部、７  受信部、８  制御部、９  主電源、１０  副電源、１１  リモコン、１２  映像表示装置、２０  電源キー。
【図１】
2010277010.tif 000003
【図２】
2010277010.tif 000004